Podtech/llm-jp-corpus-v4-ja_patent huggingface dataset:
(57)【要約】【課題】従来の蜂及び蜂の巣駆除に用いるスプレーは、殺虫剤を噴霧するものである。この技術によれば、蜂及び蜂の巣を駆除する際に殺虫剤を噴霧するために使用者の健康を害し、周辺環境を汚染するものであった。【解決手段】殺虫剤のかわりに粘着物を噴霧する。蜂は飛び回るから脅威であって粘着物で蜂の羽を機能させなくし、飛行不能にすれば捕獲、駆除が容易になる。粘着物を噴霧するために、使用者の健康を害しにくく、周辺環境を汚染しにくい。【特許請求の範囲】
【請求項１】
蜂に粘着物を吹きかけて蜂を飛行不能にして捕獲、駆除できることを特徴とするスプレー。
【請求項２】
前記の粘着物は蜂の巣の駆除にも使用できることを特徴とする請求項１記載のスプレー。
【発明の詳細な説明】
【技術分野】
【０００１】  この発明は、蜂及び蜂の巣駆除に関する。
【背景技術】
【０００２】  従来の蜂及び蜂の巣駆除に用いるスプレーは、殺虫剤を噴霧するものである。
【発明の開示】
【発明が解決しようとする課題】
【０００３】  しかしながら、以上の技術によれば、蜂及び蜂の巣を駆除する際に殺虫剤を噴霧するために使用者の健康を害し、周辺環境を汚染するものである。
そこで、この発明は、使用者の健康を害しにくく、周辺環境を汚染しにくい蜂及び蜂の巣駆除に用いるスプレーを提供することを課題とする。
【課題を解決するための手段】
【０００４】  以上の課題を解決するために、第一発明は、粘着物を蜂へ噴霧し飛行不能にして捕獲、駆除できることを特徴とするスプレーである。
また、第二発明は、蜂の巣の蜂出入り口に粘着物を噴霧し出てくる蜂を飛行不能にすることができることを特徴とするスプレーである。
【発明の効果】
【０００５】  第一発明、または第二発明によれば、蜂及び蜂の巣を駆除する際に殺虫剤のかわりに粘着物を噴霧するので、使用者の健康を害しにくく、周辺環境を汚染しにくい。
【発明を実施するための最良の形態】
【０００６】  この発明の一実施形態はスプレー式であり、上部を押すだけで粘着物を噴霧することができる。【０００７】「実施形態の効果」
この実施形態によれば、蜂へ噴霧すると粘着物によって蜂の羽が機能しなくなり落下、飛行不能になる。また、蜂の巣の蜂出入り口へ噴霧すれば、粘着物によって出入りする蜂の羽が機能しなくなり落下、飛行不能になる。したがって、蜂を捕獲、駆除しやすい。
(57)【要約】【課題】定期的に獣舎より屎尿で汚れた藁を供給してもらう必要がある。加工して誘蚊小屋を作り、蚊が入り易く、出にくい様なトラップを設ける。【解決手段】最先端の遺伝子組み換えをした個体は野生の個体に比べ生殖行動が劣る為努力の割に効果が少く、究めて原始的だが粘着シートに依り雌を捕獲すると云う方法を採ったが、蚊の誘引方法に工夫を凝した為、実用的で安価な方法で蚊の喜びそうな有機臭で雰囲気作りをした所に特長がある。【選択図】無し【特許請求の範囲】
【請求項１】
屎尿で有機臭の付いた藁や木を材料として加工し、蚊の誘引小屋を作れば、臭気発生ボンベは不要で、蚊取り粘着シートをつけただけの簡単なものとなる。外観は犬小屋の様であるが、返しを付けて蚊が出ない様にトラップをつける。ペットボトルの様に、安価で防水、透明な蚊の吸着工合が外部から見える様な材料を使用し、中の粘着シートは適時交換し易すい様な構造とする。以上の様な蚊の誘引方法、構造を特長とする蚊取り器。
【発明の詳細な説明】
【技術分野】
【０００１】  本発明は人間に害の有る生物の間引に関するカイドラインである。
【背景技術】
【０００２】  殺虫剤や捕獲に依り、被害を防いできた。又アイソトープに依り不妊虫を作り激減させた例もあるが、広域に渡るので莫大な費用がかかった。【０００３】  蚊等の昆虫を誘引するには、蚊帳の中に入れた哺乳動物を囮りにして檻に入れ、まわりに粘着シート置けば容易に捕獲する事が出來る。【０００４】  牛や豚其の他の獣舎より中で淀んでいる臭気を吸引して、ボンベに詰れば、動物の呼気の炭酸ガスまで混入して実際に近い状態の雰囲気なので、ボンベの噴出口より蚊取小屋の各所を廻って一ケ所より排出させれば、容易に蚊を誘引する事が出來る。実際には対風雨構造の為ボンベは重めの方が良く、ボンベのガスは一ケ月かけて、空になる様にガスの漏れを調節する。
【発明の開示】
【発明が解決しようとする課題】
【０００５】  遺伝子組み換えもよいが、生殖行動は野生の蚊の方が活発なため労多くして、益少い。蚊さえ集めれば、原始的な粘着テープで捕獲する方が雌の蚊だけ集るので、効果が大きく、安価である。
【課題を解決するための手段】
【０００６】  牛や豚等の家畜の獣舎の屎尿の臭気を吸いとりった藁を用いて、蚊を誘引するには良い雰囲気となる。中に蚊用の粘着シートを設ける。
【発明の効果】
【０００７】  ゴキブリ等は臭いがあり腐らない餌を用いていたが、今迄に蚊の場合それに替る物がないので、  屎尿の有機臭が染み込んだ藁、木等の素材を材料とした蚊の誘引小屋を作り、粘着シートで捕獲した。
【産業上の利用可能性】
【０００８】  本発明は捕獲方法は旧式だが、蚊の誘引方法が安価で効率が良い。
(57)【要約】      （修正有）【課題】既存のゴキブリ取り器の多くは粘着タイプで、生産流通コストに優れ、  一般的に定着しているものの、その粘着力の効果は時間と共に落ちるのが早く、捕獲容量も多くはない。既存のゴキブリ取り器と同等の生産流通コストを実現しながら、粘着剤を使用しないで、より高いゴキブリ捕獲力とその捕獲力の長い持続性及び設置と廃棄の簡便性を備えたゴキブリ取り器を提供する。【解決手段】樹脂コーティング紙製又はプラスチック樹脂製袋本体の開口部６に開閉チャックもしくはテープを設ける。袋本体の中段部に、廃棄時に閉じる際の破裂防止用の空気抜き穴を開ける。袋本体の内側に高分子潤滑剤５を塗布する。使用時には、袋本体を開き、液状か固形のゴキブリ誘引剤７を投入してゴキブリの活動経路に置く。誘引剤７に引かれて中に入ったゴキブリは滑落して脱出不能になる。ゴキブリの捕獲量が適正量になったら、開口部６のチャックもしくはテープを閉じ廃棄する。【選択図】図３
2007135550.tif 000002
【特許請求の範囲】
【請求項１】
樹脂コーティングされた紙製及び  ポリ  プラスチック樹脂製のシート素材を袋状に加工し  袋の中段に廃棄時の破裂防止の為の空気抜き口を設け  内側に高分子潤滑剤を塗布する  その中に液状もしくは固形のゴキブリ誘引剤を投入する  誘引剤に引き寄せられたゴキブリが滑落し  脱出不可能になる
【請求項２】
袋の形状及び  大きさを多様化する事により  設置場所や捕獲容量の設定の自由度が大きく  より大きな効果が期待できる
【請求項３】
樹脂コーティングされた紙製及び  ポリ  プラスチック樹脂製のシート素材を袋状に加工したものを使用する事により  液状のゴキブリ誘引剤を使用可能になる
【発明の詳細な説明】
【技術分野】
【０００１】本発明は  樹脂コーティングされた紙  ポリ  プラスチック樹脂等を素材にした袋の開口部に開閉チャックを設け  袋部分の中断に空気抜き口を作り袋の内側に高分子潤滑剤を塗布する  又  表面はゴキブリが上り易い様にザラザラに表面加工を施す  その袋の開口部を開け中に液状もしくは固形のゴキブリ誘引剤を入れ  ゴキブリの活動経路に置く
【技術背景】
【０００２】従来のゴキブリ取り器では  １セットによるゴキブリ誘引剤も固形に限られる傾向が見られる  また粘着式ゴキブリ取り器においては  その粘着力が思いのほか長続きせず  捕獲容量も多くは無い
本発明はでは  樹脂コーティングされた紙製及び  ポリ  プラスチック樹脂製のシート素材を袋状に加工し  袋の中段に廃棄時の破裂防止の為の空気抜き口を設け  内側に高分子潤滑剤を塗布する  その中に液状もしくは固形のゴキブリ誘引剤を投入する  誘引剤に引き寄せられたゴキブリが滑落し  脱出不可能になる  又  袋の形状及び  大きさを多様化する事により  設置場所や捕獲容量の設定の自由度が大きく  より大きな効果が期待できる  この様な滑落式ゴキ器は今まで無かった
【発明の開示】
【発明が解決しようとする課題】
【０００３】既存のゴキブリ誘引剤は固形のものが多いが  ゴキブリの誘引効果として液状の物も無視できない誘引効果を持つ
本発明はでは  樹脂コーティングされた紙製及び  ポリ  プラスチック樹脂製のシート素材を袋状に加工し  袋の中段に廃棄時の破裂防止の為の空気抜き口を設け  内側に高分子潤滑剤を塗布する  その中に液状もしくは固形のゴキブリ誘引剤を投入する  誘引剤に引き寄せられたゴキブリが滑落し  脱出不可能になる  時間の経過による捕獲効力の低下も非常に起きにくい  又袋の形状及び  大きさを多様化する事により  設置場所や捕獲容量の設定の自由度が大きく  より大きな効果が期待できる
【課題を解決するための手段】
【０００４】樹脂コーティングされた紙製もしくは  ポリ  プラスチック樹脂製のシートを袋状にし  袋の開口部に開閉チャックもしくは口を閉じるための  粘着テープ部を設ける  袋の中段部に破裂防止用の空気抜き口を作り  袋の表面はゴキブリが上り易い様にザラザラに加工を施す  その袋の内側に高分子潤滑剤を塗布し  中にゴキブリ誘引剤を投入する  それをゴキブリの活動経路に置く  誘引されたゴキブリが滑落し脱出不能になる  袋の容量に見合った量のゴキブリを捕獲後  開口部チャック  もしくは粘着テープを閉じ廃棄する
【発明の効果】
【０００５】既存のゴキブリ取り器に比べ効果が持続し  液状の誘引剤も使用可能で  その誘引効果は大きい  滑落式ゴキブリ取り器は斬新で  設置も廃棄も非常に簡便で  その形状と容量も自由度が高い
【実施例１】
【０００６】図３の様に  ５高分子潤滑剤を内側に塗布した  ３樹脂コーティング紙もしくは  ポリ  プラスチック樹脂製袋本体に  ７液状  又は固形のゴキブリ誘引剤を投入し  ゴキブリの活動経路に設置
【図面の簡単な説明】
【０００７】
【図１】  本発明の正面図である
【図２】  本発明を開口した状態の横面図である
【図３】  本発明を使用状態にし  斜め上から見た図である
【図１】
2007135550.tif 000003
【図２】
2007135550.tif 000004
【図３】
2007135550.tif 000005
(57)【要約】【課題】体外離脱応用不老不死装置用のタンパク質製サイボーグを作り完璧にする。【解決手段】ヘミシンク技術か右脳右角状回電極刺激で体外離脱した意識エネルギーをタンパク質製サイボーグに入れ人間に際限なく近くし同時に不老不死にする。【選択図】なし【特許請求の範囲】
【請求項１】
（イ）ヘミシンク技術か右脳右角状回電極刺激で体外離脱して意識エネルギーだけになる。
（ロ）空気中の窒素でタンパク質材料の原料を作る。
（ハ）それを使ってタンパク質人間と同じサイボーグ肉体とその臓器や神経等を作る。
（ニ）そのサイボーグに肉体人間から体外離脱した意識エネルギーを入れ固定する。
人工知能プラスこの意識エネルギーで最強の不老不死の人間意識を持つ肉体も人間に際限なく近いサイボーグとなり人間同様の行動はすべてできるものとする。
以上の如く論理で導かれるタンパク質製サイボーグ方式体外離脱応用不老不死装置２。
【発明の詳細な説明】
【技術分野】
【０００１】  本発明は、タンパク質製サイボーグ方式体外離脱応用不老不死装置に関する。
【背景技術】
【０００２】  従来、タンパク質製サイボーグ方式体外離脱応用不老不死装置技術はなかった。
【発明の開示】
【発明が解決しようとする課題】
【０００３】  従来、タンパク質製サイボーグ方式体外離脱応用不老不死装置技術はなかったので最新技術よって実現させる。
【課題を解決するための手段】
【０００４】  ヘミシンク技術か右脳右角状回電極刺激で体外離脱した意識エネルギーをタンパク質で作ったサイボーグに入れ固定することで人工知能をプラスした肉体人間同様の行動はすべてできるものとする。
【発明の効果】
【０００５】  人間意識を持つ不老不死の肉体も人間に際限なく近いサイボーグが可能になる。
【発明を実施するための最良の形態】
【０００６】    以下、本発明の実施例について時系列的論理的に文章で説明する。先ず、ヘミシンク技術か右脳右角状回電極刺激で体外離脱した意識エネルギーだけになる。空気中の窒素でタンパク質材料の原料を作る。それを使ってタンパク質人間と同じサイボーグ肉体とその臓器や神経等を作る。そのサイボーグに肉体人間から体外離脱した意識エネルギーを入れ固定する。人工知能プラスこの意識エネルギーで最強の不老不死の人間意識を持つ肉体も人間に際限なく近いサイボーグとなり人間同様の行動はすべてできるものとする。
以上の如く論理で導かれるタンパク質製サイボーグ方式体外離脱応用不老不死装置２。
【実施例】
【０００７】    上記の如く実施される。
【産業上の利用可能性】
【０００８】    人工知能も人間を超えようとしていてサイボーグ技術も大きく進歩を遂げ高齢化が進む中この装置の需要の産業上の利用可能性は高いと解される。
(57)【要約】【課題】    裁断・刻まれたタバコ葉は少しの衝動、微風にも散乱散飛にあほはれ、更につまみ取り出し後の安定性に乏しく多種多様の使用に用いることが不適当である。【解決手段】本発明は裁断・刻みの散乱散飛を少しでも安定性にするためにタバコ葉の原形を超極微細糸（０．１ミリ〜０．２ミリ）に裁断し、ハンドミキサーの低速回転により解纎し安定性のある綿状形体となすことを目的とするものである。【選択図】図３
2007135571.tif 000002
【特許請求の範囲】
【請求項１】
裁断刻まれたタバコ葉の散乱をさせれたくないため綿状形体の実現を行うことであり、他方面で新たにタバコ葉を用いて、この用いることに関する限り如何なる構成、装置を用いてもそのことには関係なく、タバコ葉本体を用いたことだけで綿状形体の新たな実現は、本発明の内容に触れるものである。
【発明の詳細な説明】
【技術分野】
【０００１】  本発明は、タバコ属植物タバコ葉を綿状に解したタバコの葉
【背景技術】
【０００２】  従来のタバコ葉の裁断・刻みは固体容姿の形状である（例えば、特許文献１参照。）。（例えば、非特許文献１参照。）。【０００３】  また、少しの衝動・微風に対しても散乱・散飛を伴い安定性に乏しく他方面多様の使用に対して不適当または不十分である。
【特許文献１】  特開昭５９（１９８４）−１１８０７５号  公報
【非特許文献１】  「裁断装置」日本専売公社
【発明の開示】
【発明が解決しようとする課題】
【０００４】  以上述べた従来の裁断・刻みは少しの衝動・微風にも散乱・散飛が即座に発生し、つまみ取り出し後の安定性に乏しく使用に対する不適当及不十分の欠陥がある。【０００５】  本発明は、このような従来の形体を有している問題を解決しようとするものであり、少しの衝動・微風にも散乱・散飛しにくい綿状に解したタバコ葉の実現を目的とするものである。
【課題を解決するための手段】
【０００６】  そして、本発明は上記目的を達成するために、タバコ葉の原形をそのまま超極微小細糸（０．１〜０．２ミリ）に裁断し乾燥後にハンドミキサーを用いて低速で解纎し綿状の形体になすことにおいて解決効果を発揮させる。
【発明の効果】
【０００７】  上述したように本発明により散乱・散飛の発生のしにくい事ができあがることによりタバコ葉の利用者に対しすみやかに本発明のタバコ葉綿状を提供できる。【０００８】  また、タバコ葉を特定の使用に用いられることにとらわれずタバコ葉内部には、殺菌消毒に役立つ成分が含まれていることを新めて認識してもらい広く人々に利用されることのできる効果が発揮するものである。
【発明の実施するための最良の形態】
【０００９】  以下、本発明の実施の形態を図１〜図３に基づき及ハンドミキサーの利用法について説明する。
【００１０】  図においては、１は立形長方輪形回転ナイフで厚み０．６ミリ巾６ミリで物が切れない輪形のナイフであり、それと同じ輪のナイフで十字形のプラスの立形に組合せられたものがこの１の全体構造であり、１と２は全く同じ形体のものである。
【００１１】  ３はハンドミキサー全体構成の原動力の働をする。
【００１２】  １と２を３に固定し３の初働により１と２は回転を始める。
【００１３】  １と２の回転に対し裁断タバコ葉を投入することにより生産の稼動が開始する。
【００１４】  以下、上記構成の動作を説明する、図１、図２、図３、は３なるハンドミキサーに輪形回転ナイフを取付けた各方向から見た全体図であり、図３の６の矢印の方向に向って１と２は回転するものである。
【００１５】  また、図３において輪形回転ナイフ１，２は共にプラス十字型の形体で同時に回転するように組立られているので、３により稼動回転の始動により輪形回転ナイフは同時に回転し共にプラス型の空間を保ちながら互いに接触することなく回転し裁断細糸状のタバコ葉を巻きこむ構造となっている。
【００１６】  また、図３のハンドミキサーの低速による矢印６の方向に向き合って回転する１，２の間に裁断タバコ葉を挿入することにより、入口出口の一定方向に逆行することなく低速回転を行いながら裁断タバコ葉をハサミ引きこみ十数回引きこむ回転をくりかえしていくうちにうず巻き型の攪拌あおりの垣間見る浮上拡脹形体となりつつ裁断細糸状タバコ葉は綿状形体となり実現可するものとなる。
【００１７】  本発明は、タバコ葉の現物を綿状にすることが基本的な考想の発明であるから、他の如何なる構成、装置をもってしてもタバコの葉を用いて綿状になすことは、タバコ葉を用いることに関する限りその開発は知的考想を含めて本発明に類似するものとする。
【図面の簡単な説明】
【００１８】
【図１】  本発明の実施形態を側面から見た図
【図２】  同実施形態を正面から見た図
【図３】  同実施形態を表上から見た図
【符号の説明】
【００１９】  １  立形長方輪形回転ナイフ
３  ハンドミキサー本体
４  綿状形体
５  容器
６  回転方向
【図１】
2007135571.tif 000003
【図２】
2007135571.tif 000004
【図３】
2007135571.tif 000005
(57)【要約】      （修正有）【課題】ペットの健康と経済的な無駄を払拭し、設置スペースを少なくする。【解決手段】最大の目的である害虫の混入を排除することは、形状を二重にし水を張ることにより、完全に解決出来る。更に内側を高くすることにより餌への水の混入を防止する。【選択図】図１
2007135575.tif 000002
【特許請求の範囲】
【請求項１】
単純な形状であり製作は簡便なので、二重にし水を張るという発想を独創的なものとし、形状の多様性全てを権利主張したい。
【発明の詳細な説明】
【技術分野】
【０００１】本発明は、餌入れと水入れを一体化する事によりペットの餌入れに蟻等がたかることによる、ペットの眼病等を予防する。
【背景技術】
【０００２】此の商品作成の技術的な困難さは無いが、ペットにとっての快適さは大きなものがある。【０００３】プラスチックによる一体成型が容易で且つ形状により、一層の強度をもつ、安価ではあるが使用目的に対しての想定外の役割が達成出来た。
【発明の開示】
【０００４】餌入れの外側を水入れとすることにより、蟻等害虫の混入を排除する。
【発明が解決しようとする課題】
【０００５】ペットの餌入れという単純な目的であるが、使用時に蟻やまる虫などがたかり不衛生である、更にペットが餌を食する際に蟻等が体につき刺されたり、目を悪くするケースが度々あった。この『ペット用餌入れ』の使用で蟻に刺されることによる目の病気は皆無となり、蟻等がたかることで餌を廃棄する無駄、及びペットの健康を守るという目的は完全に達成できた。
【図面の簡単な説明】
【０００６】
【図１】立体図及び断面図
【図１】
2007135575.tif 000003
(57)【要約】【課題】  カメムシ等を捕獲使用とする際に刺激を与え、臭気を発生させ長時間不快である。刺激を与えずに捕獲できることにより臭気の発生を抑制し、衛生的かつ容易に処分できることを課題とする。【解決手段】  粘着テープ取付材綿状凹部及び粘着テープ取付台マジックテープ凸部の接着により、クッションの役割を果たし、刺激を与えず粘着面により虫を粘着させ、捕獲後粘着テープを折り曲げ密閉状態にし、虫等に触れず衛生的に処分できる。【選択図】図２
2007135576.tif 000002
【特許請求の範囲】
【請求項１】
粘着テープの裏面に綿状凹部及び、取付台にマジックテープ凸部を設けることにより、粘着テープの脱着が自在にでき、クッションの役割をする特徴を持つ虫捕獲器。
【請求項２】
粘着テープ取付台を、粘着テープ収納ケースてした特徴を持つ。
【請求項３】
柄の部分に角度調整装置を有することを特徴とする。
【発明の詳細な説明】
【技術分野】
【０００１】  本発明は、粘着テープによる虫捕獲器に関する発明であり、粘着テープと取付台に工夫を加えることによって、カメムシ等が簡単に捕獲でき粘着テープで密閉することにより、臭気を感じることなく衛生的に処理できるようにしたものである。
【背景技術】
【０００２】  従来から虫を捕獲する場合、チィッシュ等でつまんだりして捕獲し排除している。
【特許文献１】  わからない。
【非特許文献１】  わからない。
【発明の開示】
【発明が解決しようとする課題】
【０００３】  しかし、従来の方法で捕獲すると、カメムシ等に刺激を与え臭気を発生し、長時間不快である。発明は、刺激を与えず捕獲でき臭気の発生を阻止でき、容易に処分できることを課題とする。
【課題を解決するため手段】
【０００４】  この課題を解決するための請求項１の発明は、粘着テープ裏面に綿状の凹部及び粘着テープ取付台にマジックテープ凸部を有し、粘着テープ及び粘着テープ取付台との脱着が容易にでき、虫捕獲時のクッションの役割とした。捕獲後粘着テープにより密閉することにより衛生的に処分できる。
【０００５】  また、請求項２の発明は、粘着テープ取付台を収納箱とする特徴で、取替え用の粘着テープを収納できるようにした。
【０００６】  請求項３は、柄に角度調整装置を有し、粘着テープ面の角度を変えることにより、捕獲が容易にできるようにした。
【発明の効果】
【０００７】  本発明により、カメムシ等の虫に手で触れず刺激を与えず粘着捕獲でき、粘着テープにより密閉処分でき衛生的で臭気も発生しない。
また、カーペット等の抜け毛やほこりなどの粘着掃除も可能である。
【発明を実施するための最良の形態】
【０００８】  図１は、本体の全景図である。Ａは粘着テープ取付台１と、角度調整装置４を有する柄３で構成され、Ｂは粘着テープである。【０００９】  図２は、断面図である粘着テープ取付台１は、取替え用粘着テープの収納箱として使用する。粘着テープ取付面２はマジックテープ凸部を有する。粘着テープＢは綿状の取付材凹５を有し、粘着テープ取付面２と粘着テープ取付材５を接着させることにより、クッションの役割とし虫捕獲時の刺激を防止できるようにした。
【産業上の利用可能性】
【００１０】  本発明に係る粘着テープによる虫捕獲器は、工業的に量産することが可能であるた産業上の利用可能性を有する。
【図面の簡単な説明】
【００１１】
【図１】  粘着テープによる虫捕獲器の全景図である。
【図２】  粘着テープによる虫捕獲器の断面図である。
【符号の説明】
【００１２】    １    粘着テープ取付台
２    粘着テープ取付面マジックテープ凸部
３    柄
４    粘着面角度調整装置
５    粘着テープ取付材綿状凹部
６    粘着面
７    粘着面保護シール
Ａ    粘着捕獲器本体
Ｂ    粘着テープ
【図１】
2007135576.tif 000003
【図２】
2007135576.tif 000004
(57)【要約】      （修正有）【課題】従来品では、箱の中までネズミを誘導するため、ネズミが警戒し，仕掛けの中まで入ってこないケースが多かった。【解決手段】ネズミの通り道の屋根をなくし、通路に紙を長細く通路にあわせてきり、シーソーが見えないように置き、中央にエサをおきます。ネズミがシーソーに触れた瞬間カゴがかぶさり、カゴの中に立てかけてあった粘着シートが上からネズミにかぶさり紙にも粘着がつき、ネズミを見ずに処理ができます。【選択図】図６
2007135578.tif 000002
【特許請求の範囲】
【請求項１】
本製品は従来のネズミ採り方式を変え、シーソー式で上からそっくり粘着シート付のカゴをかぶせる方式でネズミを捕獲する装置です。
【発明の詳細な説明】
〔要約〕ネズミをシーソー式で、通路に設置した板のどこに触れてもネズミを横に置いたカゴが一瞬で上からかぶって捕獲できる装置。
【考案の詳細な説明】
【技術分野】
【０００１】通路の中央にシーソーをつけ、シーソーの中央につけた軸の針金を底から網の台のところまで伸ばし、先端をひっかかる状態に曲げます。カゴは、縁の左右を蓋ができる状態にワッカをつけます。箱の下の先端の中央に引っ掛かる突起をつけ、バネを強度の弱いゴムを折り曲げた先端と突起の部分に結びます。そこで蓋をしたり、開いたりできるようなゴムの強度にします。シーソーをさわった場合、シーソーからまわした引っ掛けがずれ、カゴの突起の部分がはずれ、瞬時にカゴがかぶさります。
【背景技術】
【０００２】従来は入口が一箇所。強いバネの仕掛けです。
【考案が解決しようとする課題】
【０００３】従来品では、箱の中までネズミを誘導するため、ネズミが警戒し，仕掛けの中まで入ってこないケースが多かった。
【課題を解決するための手段】
【０００４】ネズミの通り道の屋根をなくし、通路に紙を長細く通路にあわせてきり、シーソーが見えないように置き、中央にエサをおきます。ネズミがシーソーに触れた瞬間カゴがかぶさり、カゴの中に立てかけてあった粘着シートが上からネズミにかぶさり紙にも粘着がつき、ネズミを見ずに処理ができます。
【発明を実施するための最良の形態】
【０００５】まず、３０ｃｍ四方の針金枠に網を貼ります。その５ｃｍのところで直角にあげ、１５ｃｍの部分を通り道にします。残り１０ｃｍのところに、縦５ｃｍ横１５ｃｍの底面のないカゴを設置します。通路の中央にシーソーをつけ、シーソーの中央につけた軸の針金を底から網の台のところまで伸ばし、先端をひっかかる状態に曲げます。カゴは、縁の左右を蓋ができる状態にワッカをつけます。
【実施例】
【０００５】箱の下の先端の中央に引っ掛かる突起をつけ、バネを強度の弱いゴムを折り曲げた先端と突起の部分に結びます。そこで蓋をしたり、開いたりできるようなゴムの強度にします。シーソーをさわった場合、シーソーからまわした引っ掛けがずれ、カゴの突起の部分がはずれ、瞬時にカゴがかぶさります。
【図面の簡単な説明】
【０００６】
【図１】ボックスとシーソーをセットする台
【図２】シーソーと引っ掛け棒
【図３】ネズミを捕獲するボックス
【図４】ボックスを開閉する時に使用するゴムバネ
【図５】台にボックスをセットしたところ
【図６】台にボックスとシーソーをセットしたところ
【図７】バネが外れ、捕獲したところ
【図１】
2007135578.tif 000003
【図２】
2007135578.tif 000004
【図３】
2007135578.tif 000005
【図４】
2007135578.tif 000006
【図５】
2007135578.tif 000007
【図６】
2007135578.tif 000008
【図７】
2007135578.tif 000009
(57)【要約】      （修正有）【課題】植木鉢に木炭の粉末を入れ、活性炭・土壌改良剤として利用することは一般的だが、よりその効果を高めるために改良した植木鉢を提供する。【解決手段】木炭にボール盤で穴を開けて、木炭そのものを植木鉢にした。本体１に開けた、植物を栽培するための掘削穴２の形状をテーパ状にし、さらに底面には、水はけを良くするための穴３を設けた。【選択図】図１
2007135566.tif 000002
【特許請求の範囲】
【請求項１】
本体（１）に開けた掘削穴−Ａ（２）の部分に、複数の種類の花を植え栽培する木炭を掘削して製作した植木鉢である。
【請求項２】
水はけを良くするための穴として掘削穴−Ｂ（３）を新設し、たことである。
【請求項３】
穴の形状をテーパー状に改良し、植物の生育・発育を考慮した。
【発明の詳細な説明】
【発明の詳細な説明】
【技術分野】
【０００１】これまでの実用新案＜黒沼絹子，２００４，「実用新案出願２００４−２６３６，登録実用新案第３１０４５４５号」，特許庁。＞を発展させたものである。
【背景技術】
【０００２】植木鉢に木炭の粉末を入れ、活性炭・土壌改良剤として利用することは一般的だが、よりその効果を高めるための技術が必要だった。そのため、＜黒沼絹子，２００４，「実用新案出願２００４−２６３６，登録実用新案第３１０４５４５号」，特許庁。＞を考案した。
かかる、実用新案の主たる内容は、「▲１▼木炭そのものを植木鉢にすることができないが、という発想のもと試作をしたが、もろく壊れやすいためなかなかうまくいかなかった。ボール盤で掘削する際の回転速度、直径、深さによって仕上がりが大きく違うことを試作の中から知った。▲２▼掘削穴に、複数の種類の花を植え栽培したところ、成長が早く、丈夫に発育した。」というものだった。
この製品では、▲１▼水はけを良くするための穴がないこと。▲２▼穴の形状が円筒型のため、植物の生育・発育を考慮したものではなかった。という課題があった。【０００３】
【特許文献】
【非特許文献】黒沼絹子，２００４，「実用新案出願２００４−２６３６，登録実用新案第３１０４５４５号」，特許庁。
【発明実施の形態】
【０００４】北海道新聞に掲載された。以下に示すサイトで、確認することができる。
ｈｔｔｐ：／／ｗｗｗ．ｈｏｋｋａｉｄｏ−ｎｐ．ｃｏ．ｊｐ／Ｐｈｐ／ｋｉｊｉ．ｐｈｐ３？＆ｄ＝２００５１１０９＆ｊ＝００２４＆ｋ＝２００５１１０８１８２５
または、北海道新聞（ｈｔｔｐ：／／ｗｗｗ．ｈｏｋｋａｉｄｏ−ｎｐ．ｃｏ．ｊｐ／）より、検索「黒沼」とキーワードを入力して、確認することができる。
「“炭植え”全国販売へ：  標茶・黒沼さんが実用新案の登録」  ２００５／１１／０９  ０７：４６
「標茶」植物を炭に植え込んだ鉢植えならぬ“炭植え”を、釧路管内標茶町で花き・野菜を販売する摩周湖農産経営の黒沼絹子さん（５８）が開発した。実用新案の登録を済ませ、今月半ばから「すみ花（ばな）」の名称で全国販売する。
草花の新しい見せ方と炭の需要掘り起こしを狙いに昨年度、道に提案し、地域政策総合補助金百万円を得て試験。炭が割れたり、水を吸わずに花が枯れてしまったりと失敗を繰り返したが、炭をくりぬいて中に土を入れる技術を確立し、実用化にこぎ着けた。
花や多肉植物ばかりでなく、コケや松の苗の栽培にも成功し、栽培種は約五十種類に達した。また、密封しても中の草花が呼吸できる特殊フィルムを探し出し、地方発送できる態勢を整えた。
黒沼さんは「炭自体ににおい消しや癒やし効果があるうえ、草花の持ちも良くなる。花と炭の組み合わせは若者にもお年寄りにも喜ばれるのでは」と期待。都市圏での各種フェアなどに出品するほか、郵送や宅配も受け付ける。価格は五百円から二千円前後（送料別）。問い合わせは黒沼さん（電）０１５・４８６・２７２７へ。
＜写真：炭と植物の組み合わせが目新しい「すみ花」＞
【発明の効果】
【０００５】植木鉢に木炭の粉末を入れ、活性炭・土壌改良剤として利用することは一般的だが、よりその効果を高めるための技術が可能となった。これまでの実用新案、＜黒沼絹子，２００４，「実用新案出願２００４−２６３６，登録実用新案第３１０４５４５号」，特許庁。＞を発展させ、▲１▼水はけを良くするための穴を新設し、▲２▼穴の形状をテーパー状に改良し、植物の生育・発育を考慮した。用途は、園芸のほかに、園芸療法の資材として購入する顧客が増加している。
【図面の簡単な説明】
【図１】  穴を掘削した後の斜視図である。
【図２】  穴を掘削した後、真上から見た平面図である。
【符号の説明】
１．本体（木炭）
２．掘削穴−Ａ（テーパー状に改良した。）
３．掘削穴−Ｂ（水はけを良くするために新設した。）
【図１】
2007135566.tif 000003
【図２】
2007135566.tif 000004
(57)【要約】【課題】農耕作業車輌で耕しながら肥料を散布出来る事を課題とする【解決の手段】農耕作業車輌の車輪から回転を伝導させて軸にラセン式ペラを構成させ回転することによって肥料を散布する【選択図】図３
2007135561.tif 000002
【特許請求の範囲】
【請求項１】
農耕用作業車輌の車輪に接触させ回転伝導装置で肥料を散布出来る構造
【請求項２】
農耕用作業車輌の車輪軸から回転伝導装置で肥料を散布出来る構造
【請求項３】
請求項１、２記載の方法で農薬を散布させる装置
【発明の詳細な説明】
【技術分野】
【０００１】本発明は農耕地で作業をしながら車輪の回転を利用して肥料及び農薬を散布する
【背景技術】
【０００２】従来の散布機はトラックターの駆動装置から回転を伝導するので同時に二つの作業は出来ない
【発明の開示】
【発明が解決しようとする課題】
【０００３】耕しながら散布が出来る事を課題とする
【課題を解決するための手段】
【０００４】上記課題を解決するために  走行車輪から回転伝導させて同時に２工程の作業が出来る構造にする
【発明実施の形態】
【０００５】本発明の実施の形態を図面に基づいて説明すると肥料受台８にシユート管５フレム９を一体構造にして駆動伝導車輪２ラセン式ペラ４流量ドラム７を軸３上部ピロブロック１０下部ピロブロック１１で組み込みしそれぞれタイヤロックピン１６ラセンペラロックピン１７流量ドラムロックピン１８で一連構造とし農耕用車輪１に駆動伝導車輪２を接触させる事によって動力を供給させる  走行したら肥料受台の肥料は流量ドラム７の流量ドラム開口部１５からシュート管開口部１４に入りラセン式ペラ４で送り込まれ排出口６よりホース１９で任意の場所に散布させる
【図面の簡単な説明】
【０００６】
【図１】正面図である
【図２】側面図
【図３】シュート管ラセン式ペラ駆動伝導車輪の断面図である
【図４】農耕車輪取り付け肥料を置いた図
【符合の説明】
【０００７】１    農耕車輪
２    駆動伝導車輪
３    軸
４    ラセン式ペラ
５    シュート管
６    排出口
７    流量ドラム
８    肥料受台
９    フレーム
１０  上部ピロブロック
１１  下部ピロブロック
１２  袋に入った肥料
１３  肥料開口部作り器
１４  シュート管開口部
１５  流量ドラム開口部
１６  タイヤロックピン
１７  ラセン式ペラロックピン
１８  流量ドラムロックピン
１９  ホース
２０  支持ブラケット
【図１】
2007135561.tif 000003
【図２】
2007135561.tif 000004
【図３】
2007135561.tif 000005
【図４】
2007135561.tif 000006
(57)【要約】【課題】  室内犬の雄犬のマーキングの習性による立ち小便のためのトイレであって壁の角に密着させたトレイを置くことで、漏れた小便の後始末をしなくてよくなり、シートも頻繁に替える必要もなく楽になる。壁や廊下の劣化もふせぐ。ペットの屋内用トイレを提供する。【解決手段】  中央に縦長に設けた折り曲げ線により壁板を左右を折り曲げて柱の角部に密着させ  壁板の下方に床板を設けて床面に密着させる。壁板の両側及び床板の端部は折り返し部とし壁板と床板を覆うシートを儲け  シートの側面及び下端は折り返し部に差込シートの上面は壁板の上部に設けた止め具で止める。【選択図】図１
2007135553.tif 000002
【特許請求の範囲】
【請求項１】
平面方形状の壁板であって、中央に縦長に設けた折り曲げ線により壁板を左右に折り曲げて柱の角部に密着させ、壁板の下方に横折れ線を介して床板を設けて床面に密着させ、壁板の両側及び床板の端部は折り返して折り返し部とし、壁板と床板を覆う方形状のシートを儲け、シートの側面及び下端は折り返し部に差し込み、シートの上面は壁板の上部に設けた止め具で止めるペットの屋内用トイレ
【発明の詳細な説明】
【技術分野】
【０００１】  本発明は、屋内で飼育している犬が室内の柱へ向けて小便をするに際し、屋内の柱や床を保護するためのペット用屋内トイレに関するものである。
【背景技術】
【０００２】  室内で飼育している犬は、広い皿状の容器にシートを置いたペット用のトイレに、用を足させるのが一般的である。
【発明の開示】
【発明が解決しようとする課題】
【０００３】  犬は習性から、電柱や壁に向けて片足を上げながら小便をする性質がある。
そのために室内犬は、屋内にたてている柱に向けて小便をすることが多い。すると、その柱や柱周囲の床は小便で濡れて、不衛生であり、その都度人手で拭き掃除をしなければならなかった。
本発明は以上の問題点を解決するものである。
【課題を解決するための手段】
【０００４】  中央に縦長に設けた折り曲げ線により壁板を左右に折り曲げて柱の角部に密着させ、壁板の下方に床板を設けて床面に密着させる。壁板の両側及び床板の端部は折り返して、折り返し部とし、壁板と床板を覆うシートを設け、シートの側面及び下端は折り返し部に差し込み、シートの上面は壁板の上部に設けた止め具で止める。
本発明は以上の構成よりなるペットの屋内用トイレである。
【発明の効果】
【０００５】  本発明は屋内の柱に手軽に取り付ける事が出来て、本体のうえにシートを装着出来るので、ペットの小便でシートが濡れたときは簡単に取り替えることが出来る。したがって、屋内の柱や床をペットの小便から保護し、柱や床や壁を汚すことなく、衛生的である。
【発明を実施するための最良の形態】
【０００６】  以下本発明の実施の形態を説明する。
（イ）、平板の略方形状からなる壁板（１）の中央に縦長状の縦折れ線（２）を儲け、左右に山折にする。
（ロ）、壁板（１）の下辺に横長の横折れ線（３）を設け、壁板（１）の下方に床板（４）を儲け、横折れ線（３）を境界に谷折りにする。
（ハ）、床板（４）の中央は三角状の中間部（５）とし、上方へ弛ませたふくらみを有し、床板（４）が床に密着したとき、中間部（５）は床に平板状に伸びて密着する。
（ニ）、壁板（１）の上方に縦折れ線（２）を挟んで、止め具（７）を２個設ける。
（ハ）、壁板（１）の両側端及び床板（４）の端面を折り返して折り返し部（６）とし、折り返し部（６）の先端は床板（４）との間にすき間を設けて差し込み口（８）とする。
（ホ）、壁板（１）床板（４）の上面をシート（９）で被覆し、シート（９）の端面は差し込み口（８）より折り返し部（６）に挿入する。
本発明は以上の構成よりなる。
本発明を使用するときは、壁板（１）の縦折れ線（２）を柱（１０）の角部に当て柱（１０）の角部の左右に壁板を（１）を密着させ、床板（４）は床（１１）に密着させる。
室内犬は柱に密着させた本体に小便をするので、汚れたシート（９）は必要に応じて取り替えることができる。
【図面の簡単な説明】
【０００７】
【図１】本発明の使用状態を示す斜視図
【図２】本発明の使用状態を示す要部の断面図
【図３】本発明の正面図
【符号の説明】
【０００８】        １、壁板
２、縦折れ線
３、横折れ線
４、床板
５、中間部
６、折り返し部
７、止め具
８、差し込み口
９、シート
１０、柱
１１、床
【図１】
2007135553.tif 000003
【図２】
2007135553.tif 000004
【図３】
2007135553.tif 000005
(57)【要約】      （修正有）【課題】コンパクト形誘虫ランプを用いることにより全体を居住の妨げとならない大きさにすることにより据え置きを可能とし、床面に設置することにより床面付近を飛翔する昆虫を捕獲することができる捕虫器を提供する。【解決手段】飛翔昆虫を誘引するための誘虫ランプ３としてのＵ字管発光管を２本あわせて接合した捕虫器用蛍光ランプを本体カバー内ほぼ中央に位置するよう支持部材４とソケット５を介して着脱可能に配した灯具と電源装置を内蔵する捕虫器本体１上面に、この誘虫ランプ３により誘引された飛翔昆虫を捕獲するための捕虫シートを着脱可能に設置した捕虫部材の全体を覆うカバーとして、飛翔昆虫が通過可能な開口部７を設けた誘虫ランプの光を透過する半透明の材質でなる本体カバー２を設けた。【選択図】図２
2007135555.tif 000002
【特許請求の範囲】
【請求項１】
飛翔昆虫を誘引するための誘虫ランプとしてのＵ字管発光管を２本あわせて接合した捕虫器用蛍光ランプを本体カバー内ほぼ中央に位置するよう支持部材とソケットを介して着脱可能に配した灯具と電源装置を内蔵する本体上面に、この誘虫ランプにより誘引された飛翔昆虫を捕獲するための捕虫シートを着脱可能に設置した捕虫部材の全体を覆うカバーとして、飛翔昆虫が通過可能な開口部を設けた誘虫ランプの光を透過する半透明の材質でなる本体カバーを設けたことを特徴とする捕虫器。
【請求項２】
本体カバーに金属材料を用いたことを特徴とする請求項１記載の捕虫器。
【発明の詳細な説明】
【発明の詳細な説明】
【技術分野】
【０００１】  本発明は、誘虫ランプにより誘引した蚊、蝿、羽虫及び蛾等の飛翔昆虫を捕虫シートにより捕獲する捕虫器の改良に関する。
【背景技術】
【０００２】  従来この種の捕虫器においては、直管形又は環形の誘虫ランプを使用した吊り下げあるいは壁掛けを設置方法とするものであった。【０００３】  捕虫器は室内に設置されるものであるが、居住の妨げにならないよう概ね人の身長よりも高所に設置されるものである。【０００４】  しかし、これらの捕虫器では、高所を飛翔する昆虫は捕獲されるが、床面付近のみを飛翔するチョウバエ等の昆虫は捕獲できないという問題があった。
【発明の解決しようとする課題】
【０００５】  本発明はこのような課題を解決するもので、コンパクト形誘虫ランプを用いることにより全体を居住の妨げとならない大きさにすることにより据え置きを可能とし、床面に設置することにより床面付近を飛翔する昆虫を捕獲することができる捕虫器を提供することを目的とするものである。
【課題を解決するための手段】
【０００６】  この課題を解決するために本発明は、飛翔昆虫を誘引するための誘虫ランプ３としてのＵ字管発光管を２本あわせて接合した捕虫器用蛍光ランプを本体カバー内ほぼ中央に位置するよう支持部材４とソケット５を介して着脱可能に配した灯具と電源装置を内蔵する捕虫器本体１上面に、この誘虫ランプ３により誘引された飛翔昆虫を捕獲するための捕虫シート６を着脱可能に設置した捕虫部材の全体を覆うカバーとして、飛翔昆虫が通過可能な開口部７を設けた誘虫ランプの光を透過する半透明の材質でなる本体カバー２を設けたことを要旨とするものである。この場合、本体カバーは一般的に照明器具のカバーに用いられる磨りガラス状あるいは白色のアクリル板、プラスチック板あるいは、ガラス板等を用いることが望ましいが、周辺に設置された什器等との関係に配慮し金属製のカバーを用いることもできる。
【０００７】  この構成により、居住の妨げとならない大きさにすることにより据え置きを可能とし、床面に設置することにより床面付近を飛翔する昆虫を捕獲することができる捕虫器を提供するすることができる。
【発明を実施するための最良の形態】
【０００８】  以下、本発明の一実施の形態について、図面に基づいて説明する。
図１〜図２において、３はＵ字管発光管を２本あわせて接合した捕虫器用誘虫ランプである。これは本体カバー内ほぼ中央に位置するようソケット５及び支持部材４により着脱可能に保持されている。本体カバー２は、内部の誘虫ランプ及び捕虫テープの交換のため、着脱可能あるいは短手側立設面の一方が開閉可能となっている。【０００９】  また、本体カバー２上面と短手側立側面との間に設けたに開口部７を設け誘虫ランプ３の光を本体カバー２外部に放射するとともに飛翔昆虫を本体カバー２内に誘引する。
本体１上面には捕虫シート６を着脱可能に配置し誘虫ランプ３により本体カバー２内部誘引した飛翔昆虫を捕獲する。
【発明の効果】
【００１０】以上のように本発明によれば、居住の妨げとならない大きさにすることにより据え置きを可能とし、床面に設置することにより床面付近を飛翔するチョウバエ等の昆虫を捕獲することができる捕虫器を提供できるものである。
【図面の簡単な説明】
【図１】  本発明の一実施の形態における捕虫器を示す全体斜視図である。
【図２】  本発明の一実施の形態における捕虫器のＡ−Ａ断面図である。
【符号の説明】
１    捕虫器本体
２    本体カバー
３    誘虫ランプ
４    支持部材
５    ソケット
６    捕虫シート
７    開口部
【図１】
2007135555.tif 000003
【図２】
2007135555.tif 000004
(57)【要約】【課題】温暖化が進み  四季を通じてゴキブリ等害虫が  活発化している中  既存のゴキブリ取り器より効果的なゴキブリ取り器を  提供する【解決手段】３ｃｍ  〜  ４ｃｍ四方の小型ヒーターを  既存の多様な形をした各ゴキブリ取り器に大きさを合わせた  発泡樹脂パネルにはめ込み  そのゴキブリ取り器に装着する事により  ゴキブリ取り器内に  ゴキブリに適した温度環境を作ると共に  ヒーターの熱により  誘引剤の臭気を高め  効果的にゴキブリを捕獲する又パネル形状を多様化する事により  既存のゴキブリ取り器にも使用可能である【選択図】図２
2007135551.tif 000002
【特許請求の範囲】
【請求項１】
既存及び専用のゴキブリ取り器を、ゴキブリの好む温度に加温及び保温し、ゴキブリ駆除効果を飛躍的に向上させる小型シート形状ヒーター
【請求項２】
３ｃｍ  〜  ４ｃｍ四方の小型シート形状のヒーターを多様な形状のゴキブリ取り器に合わせるため  多様な形状の発泡樹脂パネルに  はめ込み式にする  又  発泡樹脂パネルはヒーターの熱を効率的に目的に向かわせる為の  保温材とする
【請求項３】
小型シート形状ヒーターは  液状  及び固形のゴキブリ誘引剤を加温し  臭いをより多く揮発し  その誘引力を飛躍的に高める
【発明の詳細な説明】
【技術分野】
【０００１】本発明は  既存及び専用のゴキブリ取り器の内部をゴキブリの好む温度に加温し  保温と同時に  液状及び固形のゴキブリ誘引剤の臭気より強く発生させ  ゴキブリ誘引効果飛躍的に高める為の  器具である
【技術背景】
【０００２】従来のゴキブリ取り器では  ゴキブリ誘引効果として  これ以上の効果は期待できず  加温及び保温する事によりゴキブリの好む温度と  液状及び固形の誘引剤の臭気を強めてゴキブリを誘引する方式の器具は無かった
【発明の開示】
【発明が解決しようとする課題】
【０００３】ゴキブリの性質は  多湿で温暖な場所  ３０℃  〜  ３５℃位を好み  季節を問わず  冷蔵庫  電子ジャー  蛍光灯  テレビ周りに集まる蛍光が強く  既存のゴキブリ取り器と誘引剤では効果は限られる  そこで  より高い誘引効果を得るためにゴキブリ取り器内部を加温し  ゴキブリの好む環境を作りさらに結果として  ゴキブリ誘引剤の臭気を強め  捕獲効果を高める  又薬剤に頼らず非常に安全である
【課題を解決するための手段】
【０００４】３ｃｍ  〜  ４ｃｍ四方の小型ヒーターを  既存の多様な形をした各ゴキブリ取り器に大きさを合わせた  発泡樹脂パネルにはめ込み  そのゴキブリ取り器に装着する事により  ゴキブリ取り器内に  ゴキブリに適した環境を作ると共に  ヒーターの熱により  誘引剤の臭気を高め  効果的にゴキブリを捕獲する
【発明の効果】
【０００５】ゴキブリ取り器内を  ゴキブリの適温に保ち且つその温度により  強さを増したゴキブリ誘引剤の臭気がゴキブリの捕獲力を大きく高める
【実施例１】
【０００６】図２の様に  ヒーター部１  電源ユニット２を接続後ゴキブリ取り器の大きさと形に合わせた発泡樹脂パネルにはめ込む
【実施例２】
【０００７】図３の様に  ゴキブリ取り器を装着  電源《ＡＣアダプター含む》のスイッチを入れ  ゴキブリの活動経路に置く
【図面の簡単な説明】
【０００８】
【図１】  本発明の小型ヒーターと電池ユニットである
【図２】  本発明を着脱式発泡樹脂パネルに  はめ込んだ図である
【図３】  本発明を粘着式ゴキブリ取り器に装着した図である
【図１】
2007135551.tif 000003
【図２】
2007135551.tif 000004
【図３】
2007135551.tif 000005
(57)【要約】【課題】紙製管で形成された胴部の外周面に、木製の和太鼓のような不規則で自然な感じの縞目が得られるようにすることである。【解決手段】胴部１を形成する紙製管の外周面に局部的な浅い削り込み部４ａ、４ｂを設け、これらの削り込み部４ａ、４ｂに節目状の紙層の縞目９ｂが表われるようにすることにより、中高の削り出しで表われる木目状の縞目９ａと併せて、胴部１の外周面に木製の和太鼓のような不規則で自然な感じの縞目が得られるようにした。【選択図】図１
2007025159.tif 000002
【特許請求の範囲】
【請求項１】
胴部を複数層に紙を巻き付けた紙製管で形成し、この紙製管の外周面を削り出しにより中高の太鼓状に形成して、その外周面に紙層の縞目が木目状に表われるようにした和太鼓において、前記紙製管の外周面に局部的な浅い削り込み部を設け、この削り込み部に前記紙層の縞目が節目状に表われるようにしたことを特徴とする和太鼓。
【請求項２】
前記紙製管の紙層間を着色された接着剤で接着した請求項１に記載の和太鼓。
【発明の詳細な説明】
【技術分野】
【０００１】
本発明は、胴部が紙を複数層に巻き付けた紙製管で形成された和太鼓に関するものである。
【背景技術】
【０００２】
和太鼓は胴部が欅やバオバブ等の大木の幹を繰り抜いて形成され、非常に高価なものであるが、近年このような大木が得難くなっていることや、安価な和太鼓が要望されていることから、胴部を複数層に紙を巻き付けた紙製管で形成した和太鼓が出現している（例えば、特許文献１、２参照。）。
【０００３】
特許文献２に記載されたものでは、外観を木製の和太鼓に近づけるために、紙製管の外周面を削り出しにより中高の太鼓状に形成して、その外周面に紙層の縞目が木目状に表われるようにしている。なお、特許文献１に記載されたものは、紙製管を輪切りにしたままのものを胴部に使用している。
【０００４】
【特許文献１】特開平９−１４６５４２号公報（第１−２図）
【特許文献２】特開２００５−２４８４５号公報（第１−２図）
【発明の開示】
【発明が解決しようとする課題】
【０００５】
特許文献２に記載された和太鼓は、胴部の外周面に紙層の縞目が木目状に表われるので、特許文献１に記載されたものよりは木製の和太鼓に近い外観のものとなる。しかしながら、紙が巻き付けられて形成された紙層の間隔は規則的であるので、外周面に表われる紙層の縞目が単調なものとなり、未だ木製の和太鼓のような不規則で自然な感じの縞目が得られない問題がある。
【０００６】
そこで、本発明の課題は、紙製管で形成された胴部の外周面に、木製の和太鼓のような不規則で自然な感じの縞目が得られるようにすることである。
【課題を解決するための手段】
【０００７】
上記の課題を解決するために、本発明は、胴部を複数層に紙を巻き付けた紙製管で形成し、この紙製管の外周面を削り出しにより中高の太鼓状に形成して、その外周面に紙層の縞目が木目状に表われるようにした和太鼓において、前記紙製管の外周面に局部的な浅い凹状の削り込み部を設け、この削り込み部に前記紙層の縞目が節目状に表われるようにした構成を採用した。
【０００８】
すなわち、紙製管の外周面に局部的な浅い削り込み部を設け、この削り込み部に紙層の縞目が節目状に表われるようにすることにより、胴部の外周面に木製の和太鼓のような不規則で自然な感じの縞目が得られるようにした。
【０００９】
前記紙製管の紙層間を着色された接着剤で接着することにより、紙層の縞目が着色された接着剤で明瞭に表われるようにすることができる。
【発明の効果】
【００１０】
本発明の和太鼓は、胴部を形成する紙製管の外周面に局部的な浅い削り込み部を設け、この削り込み部に紙層の縞目が節目状に表われるようにしたので、胴部の外周面に木製の和太鼓のような不規則で自然な感じの縞目が得られるようにすることができる。
【００１１】
前記紙製管の紙層間を着色された接着剤で接着することにより、紙層の縞目が着色された接着剤で明瞭に表われるようにすることができる。
【発明を実施するための最良の形態】
【００１２】
以下、図面に基づき、本発明の実施形態を説明する。この和太鼓は、図１および図２に示すように、胴部１が紙２を複数層に巻き付けた紙製管で形成され、各紙層間が茶色に着色された接着剤３で接着されて、外周面が削り出しで中高の太鼓状に形成されるとともに、図３（ａ）、（ｂ）に拡大して示すように、外周面に局部的な浅い削り込み部４ａ、４ｂが設けられている。削り込み部４ａは円形状とされ、削り込み部４ｂは扇形状とされている。なお、胴部１の外周面と内周面は透明なワニス５で被覆され、その両端部には鼓面となる皮革６が張設されて鋲７で止められ、中央部には把手８が取り付けられている。
【００１３】
前記胴部１の外周面の全面には、中高の削り出しによる木目状の紙層の縞目９ａが粗いピッチで表われ、各削り込み部４ａ、４ｂには、節目状の紙層の縞目９ｂが細かいピッチで表われている。円形状の削り込み部４ａの縞目９ｂは同心円状に表われ、扇形状の削り込み部４ｂの縞目９ｂは裾拡がり状に表われている。これらの紙層の縞目９ａ、９ｂは、いずれも着色された接着剤３によって明瞭に表われている。
【００１４】
上述した実施形態では、削り込み部の形状を円形状と扇形状としたが、削り込み部の形状は楕円状、星形状等の任意の形状とすることができ、これらの形状に応じて様々な節目状の縞目が表われるようにすることができる。
【００１５】
また、上述した実施形態では、紙層間を接着する接着剤を茶色一色のものとしたが、接着剤の色は任意に選択することができ、接着剤を各紙層間で異なる色のものとして、縞目を多色のものとすることもできる。
【図面の簡単な説明】
【００１６】
【図１】和太鼓の実施形態を示す正面図
【図２】図１の和太鼓の胴部を示す縦断面図
【図３】ａ、ｂは、それぞれ図１の削り込み部を拡大して示す断面図
【符号の説明】
【００１７】
１  胴部
２  紙
３  接着剤
４ａ、４ｂ  削り込み部
５  ワニス
６  皮革
７  鋲
８  把手
９ａ、９ｂ  縞目
【図１】
2007025159.tif 000003
【図２】
2007025159.tif 000004
【図３】
2007025159.tif 000005